(57)【要約】【課題】容易に開閉が可能な空気調和装置用端子台カバー及び該カバーを備えた空気調和装置を提供すること。【解決手段】端子台カバー１０ａは、扉体１１と、扉体１１を揺動自在に支持する基部１２とを備える。扉体１１は、その両側から突出する二つの軸部１３を備え、基部１２は、それぞれ軸部１３が挿入されて軸部１３が回転自在に支持される二つの孔１５ａ，１５ｂを備える。軸部１３は平板状であって、基部１２の一方の孔１５ａには、その周壁に軸部１３が挿入され孔１５ａに案内する切り込み２０が設けられている。【選択図】図３
2007218443.tif 000002
【特許請求の範囲】
【請求項１】
室外の空気と熱交換を行う空気調和装置の室外機に設けられた配線接続用の端子台カバーにおいて、
扉体と、前記扉体を揺動自在に支持する基部とを備え、
前記扉体は、その両側に突出する二つの軸部を備え、前記基部は、それぞれ前記軸部が挿入されて前記扉体を回転自在に支持する二つの孔を備え、
前記軸部の少なくとも一方は平板状であって、前記二つの孔の少なくとも一方には、その周壁に前記平板状の軸部が挿入され前記孔に案内する切り込みが設けられていることを特徴とする空気調和装置用端子台カバー。
【請求項２】
前記扉体が開いた状態または閉じた状態の少なくともいずれか一方の姿勢を保持する姿勢維持機構を備えていることを特徴とする請求項１に記載の空気調和装置用端子台カバー。
【請求項３】
前記姿勢維持機構は、前記扉体と基部のいずれか一方に設けられた突起と、同他方に設けられ、前記扉体が開いた状態または閉じた状態のいずれか一方の姿勢にて前記突起と係合する係合部とを備えたことを特徴とする請求項２に記載の空気調和装置用端子台カバー。
【請求項４】
冷媒と室内気との間で熱交換を行う室内機と、冷媒と室外気との間で熱交換を行う室外機とを備えた空気調和装置において、
前記室外機に配線接続用の端子台が設けられ、請求項１から３のいずれかの空気調和装置用端子台カバーを前記端子台に備えたことを特徴とする空気調和装置。
【発明の詳細な説明】
【技術分野】
【０００１】
本発明は、空気調和装置に関し、特に室外機の端子台カバーの構造に関する。
【背景技術】
【０００２】
空気調和装置は、一般的に、室内に取り付けられる室内機と、室外に設置される室外機とを備える。
室外機には、室内から電力を供給するための配線を接続する端子台が設けられ、該端子台には安全性を考慮して端子台カバーが設けられている。この端子カバーは端子台を覆う蓋状のカバーであって、安全性及び耐熱性を考慮し板金をプレス加工して形成される。
【特許文献１】特開２００３−１３９３５５号公報
【発明の開示】
【発明が解決しようとする課題】
【０００３】
室外機の設置作業の際には、端子台カバーを取り外し、端子台に対して配線を接続する。その後再び端子台カバーを取り付け、配線の接続部を覆う。従来の端子台カバーは取り外しを行うためにネジによる着脱式となっている。しかしながら、作業の際にネジの付け忘れ等が生じやすく、また、作業効率を低下させる原因となっていた。
【０００４】
本発明は上記事情に鑑みて成されたものであり、容易に開閉が可能な空気調和装置用端子台カバー及び空気調和装置を提供することを目的とする。
【課題を解決するための手段】
【０００５】
本発明においては上記の課題を解決するために以下の手段を採用した。
請求項１に記載の発明は、室外の空気と熱交換を行う空気調和装置の室外機に設けられた配線接続用の端子台カバーにおいて、扉体と、前記扉体を揺動自在に支持する基部とを備え、前記扉体は、その両側に突出する二つの軸部を備え、前記基部は、それぞれ前記軸部が挿入されて前記扉体を回転自在に支持する二つの孔を備え、前記軸部の少なくとも一方は平板状であって、前記二つの孔の少なくとも一方には、その周壁に前記平板状の軸部が挿入され前記孔に案内する切り込みが設けられていることを特徴とする。
【０００６】
本発明によれば、平板状の軸を切り込みに沿って孔に挿入する。挿入後は孔を軸受として扉体が回動自在に支持される。好ましくは、切り込みの幅を、平板状の軸部の幅よりも狭く、軸の厚さよりも広く構成することで、軸が孔から容易に脱落することを防ぐことができる。
【０００７】
請求項２に記載の発明は、請求項１に記載の空気調和装置用端子台カバーにおいて、前記扉体が開いた状態または閉じた状態の少なくともいずれか一方の姿勢を保持する姿勢維持機構を備えていることを特徴とする。
【０００８】
本発明によれば、姿勢維持機構により、扉体の姿勢が維持される。好ましくは、扉体と基部のいずれか一方に凹部または孔（係合部）を設け、同他方に凹部または孔と係合する突起を設ける。突起は前記凹部または孔から（使用者がわずかな力を加えることで）容易に脱落するように形成する。凹部または孔のかわりに、扉体と基部の両側に突起（係合部）を設け、これら突起が互いに係合することで扉体の姿勢が維持されるような構成でもよい。
【０００９】
さらに、前記空気調和装置用端子台カバーを空気調和装置の室内機に設けることにより、作業の簡略化を図ることができる。
【発明の効果】
【００１０】
本発明に係る空気調和装置用端子台カバーおよび該カバーを備えた空気調和装置によれば、基部側に形成された切り込みに扉体の軸部を挿入することにより、扉体を基部に対して容易に揺動自在に支持させ、開閉を容易に行うことができる。
【発明を実施するための最良の形態】
【００１１】
次に、本発明の一実施形態に係る空気調和装置用端子台カバー及びそれを備えた空気調和装置について図面を参照して説明する。
図１に示したものは家庭用の空気調和装置の全体構成を示す概略図である。図において、符号１は室内に取り付ける室内機であり、符号２は室外に設置される室外機である。これら室内機１と室外機２とは、接続配管３によって冷媒が循環されることにより、空調を実現するようになっている。
【００１２】
室外機２の側部に設けられているサイドパネル５は室外機２から着脱自在であって、サイドパネル５の内側には端子台カバー１０ａの内部に端子台１０が設けられている。
【００１３】
図２に室外機２の分解図を示した。室外機２は、複数のケーシングが組み合わされて構成されている。なお、熱交換器等は図示を省略している。
室外機２はフロントパネル６やリアパネル７等が組み合わされて構成されている。室外機２には圧縮機に電力を供給するため電源装置（不図示）が設けられているが、この電源装置は、サイドパネル５とバッフルプレート８との間に収容されるようになっている。
【００１４】
図３に端子台カバー１０ａの斜視図を示した。端子台カバー１０ａは扉体１１と、扉体１１を揺動自在に支持し、端子台１０が取り付けられる基部１２とを備える。
図４は扉体１１と基部１２とを分解して示した図である。扉体１１側には、その両側から外方向に突出する二つの軸部１３，１３を備える。扉体１１は板金をプレス加工して形成されたものであり、軸１３，１３も平板状となっている。
【００１５】
基部１２側には、それぞれ前記軸部１３が挿入されて該軸部１３が回転自在に支持される二つの孔１５ａ，１５ｂが互いに対向して立ち上がる壁部１２ａに形成されている。これらの孔１５ａ，１５ｂに軸部１３が挿入されることにより、扉体１１が揺動自在に支持されるようになっている。図５に別の角度から基部１２を示した。図のように、基部１２の一方の孔１５ａの上部には、壁部が外方向に延出すると共に外側に向けて略垂直に折られたタブ部２１を備える。孔１５ａからタブ部２１に向け、切り込み２０が設けられている。切り込み２０の孔１５ａ側の端部は孔１５ａに開口し、他側端部は折られたタブ部２１の略中央部まで延在している。
切り込み２０の幅は、平板状の軸部１３の幅よりも狭く、軸部１３の厚さよりも広く設定する。
【００１６】
また、扉体１１を閉じた状態と開いた状態の二つの姿勢で保持するための姿勢維持機構が設けられている。板金を加工して形成された扉体１１の左右の部位は扉体１１本体から略垂直に折られ、互いに対向する平板状の腕部２２，２２となっている。姿勢維持機構として、腕部２２には孔（係合部）２３が設けられ、また腕部２２上端部には突起（係合部）２４が設けられている。突起２４の先端部２４ａは、図４（ｂ）に示すように、腕部２２、２２の両側に設けられた突起２４間の間隔Ｌよりも僅かに長く（Ｌ＜Ｌａ）なるように、外側に開くような凸となる。
基部１２側には、扉体１１が閉じた状態で孔２３に対して嵌合する突起２５と、扉体１１が開いた状態で突起２４と係合する突起２６とが壁部１２ａから外方向に向けて設けられている。
【００１７】
次に、上記のように構成された扉体１１を基部１２に対して取り付ける際の工程について説明する。
まず一方の軸部１３を切り込み２０が設けられていない孔１５ｂに挿入する。次いで図６（ａ）に示すように、扉体１１を、その軸部１３の角度が切り込み２０の方向に合う姿勢とする。軸部１３を切り込み２０に差し込むことにより、軸部１３が孔１５ａの内部に案内される（同図（ｂ））。軸部１３が孔１５ａ、１５ｂにより支持されることで、孔１５ａ、１５ｂを軸受として扉体１１を揺動させることが可能となる。軸部１３の角度と切り込み２０の角度が一致した場合には扉体１１を引き抜くことが可能となるが、切り込み２０は基部１２の上部に向けて設けられているため、通常は重力により軸部１３は孔１５ａに支持され、扉体１１が外れることはない。
【００１８】
図７に示したように、扉体１１を閉じた状態では基部１２の突起２５が孔２３に嵌り、扉体１１が開かないように固定される。図８のように扉体１１を開くことにより、突起２４の先端部２４ａが突起２６を乗り越えて上方に位置することとなり、突起２４の先端部２４ａが突起２６と係合し、扉体１１は開いた状態で固定される。なお、切り込み２０の角度と軸部１３の角度が一致するのは、扉体１１が開いた状態で固定された姿勢よりもさらに開度を大きくした場合である。通常の使用の際には、サイドパネル等との関係から当該角度まで開くことはないため、誤って扉体１１が取り外されることが防止される。
【００１９】
なお、これら扉体１１を閉じた状態及び開いた状態で保持する保持力は、孔２３，突起２５，２６及び２４間の設計寸法により定まる。使用者が僅かな力を加えることで容易に開閉できるように形成することが好ましい。
【００２０】
次いで、バッフルプレート８の取り付け状態について説明する。図９及び図１０に示したように、バッフルプレート８は熱交換器（不図示）の側板９に対して取り付けられる。
バッフルプレート８は２個所（符号Ａ、Ｂ）でねじ留めされる。バッフルプレート８の側板９側の縁部には内側に切り込まれた切り込み２９が複数形成され、ねじ留めの際に切り込み２９の両側が側板９に対して交互に挟み込まれるようになっている。
バッフルプレート８の下部には離脱防止機構３０が設けられている。離脱防止機構３０は、図１１に示すように、側板９側に設けられた突起３１と、バッフルプレート８側に設けられた孔３２とからなる。突起３１はプレスにより形成され、その外形は孔３２と略同じ矩形であって、上下には傾斜面３１ａが設けられている。右の端縁３１ｂは、板材の切断面が露出した状態とされ、左側の端縁３１ｃまで傾斜面になっている（図１１（ｂ）参照）。
これにより、バッフルプレート８を側板９に対して取り付けた際に、突起３１が孔３２に対して嵌合し、左右方向には端縁３１ｂが孔３２の周壁と当接して移動（ずれ）が規制される。これにより、バッフルプレート８の固定を確実に行うことができる。
なお、図１２に示した離脱防止機構３０の変形例のように、突起３１の表面を上下に滑らかな曲面により形成することで、バッフルプレート８の固定を外す際に、バッフルプレート８を上下方向に抜けやすくすることができる。
【００２１】
以上のように、本実施形態に係る端子台カバー１０ａおよびそれを備えた空気調和装置によれば、扉体１１を基部１２に対して容易に揺動自在に支持させることができる。扉体１１は板体により形成され、軸部１３も平板状であるが、基部１２側に切り込み２０を形成し、この切り込み２０に軸部１３を挿入することにより、軸部１３が軸受としての孔１５ａ、１５ｂにより支持され、かつ軸部１３が孔１５ａ、１５ｂから外れにくい構成とすることができる。
また、扉体１１を閉じた状態と開いた状態とに保持する姿勢維持機構（孔２３、突起２４〜２６）が設けられているため、作業の際には扉体１１を開いた状態に維持することができると共に、作業終了時にはネジ等を用いることなく、手動により扉体１１を容易に閉じることができる。したがって、作業効率を向上することができる。
【００２２】
なお、上記の例においては基部１２に設けられた軸受としての孔１５ａ、１５ｂの一方にのみ切り込み２０を設けたが、両側に切り込み２０を設けてもよい。また、姿勢維持機構として扉体１１には孔２３を設けたが、孔ではなく凹部であってもよいのは言うまでもない。
【図面の簡単な説明】
【００２３】
【図１】家庭用の空気調和装置の全体構成を示す概略図である。
【図２】同空気調和装置に用いられる室外機の分解図である。
【図３】本発明の一実施形態として示した端子台カバーの斜視図である。
【図４】同端子台カバーを示す図であり、（ａ）は扉体と基部を分解した状態を示す斜視図、（ｂ）は（ａ）のＡ−Ａ断面図である。
【図５】同端子台カバーの斜視図である。
【図６】扉体の取り付けについて示した側面図である。
【図７】端子台の扉体を閉じた状態を示した側面図である。
【図８】端子台の扉体を開いた状態を示した側面図である。
【図９】バッフルプレートの取り付け状態について示した斜視図である。
【図１０】バッフルプレート取り付け前の状態について示した斜視図である。
【図１１】（ａ）はバッフルプレートに設けられた離脱防止機構を示す拡大斜視図、（ｂ）は（ａ）のＢ−Ｂ断面図である。
【図１２】同離脱防止機構の他の例について示した斜視図である。
【符号の説明】
【００２４】
１０  端子台
１０ａ  端子台カバー
１１  扉体
１２  基部
１３  軸部
１５ａ、１５ｂ  孔
２０  切り込み
２３  孔（係合部）
２４  突起（係合部）
２４ａ  先端部
２５  突起
２６  突起
【図１】
2007218443.tif 000003
【図２】
2007218443.tif 000004
【図３】
2007218443.tif 000005
【図４】
2007218443.tif 000006
【図５】
2007218443.tif 000007
【図６】
2007218443.tif 000008
【図７】
2007218443.tif 000009
【図８】
2007218443.tif 000010
【図９】
2007218443.tif 000011
【図１０】
2007218443.tif 000012
【図１１】
2007218443.tif 000013
【図１２】
2007218443.tif 000014